(57)【特許請求の範囲】
【請求項１】
マッサージを受ける人が着座する座部の前側において座面と略垂直方向に垂下した状態と、座面と略平行に位置した状態との間を移動自在となる支持部材に、マッサージ機能部を内蔵したマッサージ部を上記座部側と反対側において回動支持となるように取り付けたマッサージ装置において、上記回動支持手段は、支持部材とマッサージ部が重ね合わされマッサージ部の表面が被施療部と当接可能な状態からマッサージ部の裏面が被施療部と当接可能となる規制位置までを９０度以上の回動範囲とするとともに、上記支持部材のマッサージ部との重ね合わせ面側を足首を下と横から包むように支える形状とし、支持部材が座面と略平行に位置した時に規制位置においてマッサージ部は裏面が上方へ向くように垂直方向より座部から離れる方向へ傾いていることを特徴とするマッサージ装置。
【請求項２】
前記請求項１に記載のマッサージ装置において、上記規制位置はマッサージ部が少なくとも支持部材の仮想延長面より前下がりとならない位置で設定され、この規制位置においてマッサージ部は支持部材側へ重ね合わせる方向へは自由に回動可能となるようにしたことを特徴とするマッサージ装置。
【請求項３】
前記請求項１または２に記載のマッサージ装置において、マッサージ部のマッサージ機能部は両面に同時にマッサージ作用を行なわせることを特徴とするマッサージ装置。
【請求項４】
前記請求項１ないし３に記載のマッサージ装置において、回動支持手段は円弧状のストッパ溝とこのストッパ溝に挿通しかつストッパ溝に沿って動くストッパからなることを特徴とするマッサージ装置。
【請求項５】
前記請求項１ないし４に記載のマッサージ装置において、支持部材の移動はマッサージ部の回動位置座面の下部に位置する駆動装置により自動的に行なわれることを特徴とするマッサージ装置。
【発明の詳細な説明】
【０００１】
【発明の属する技術分野】
本発明は、椅子に座った状態の人の脚、特にふくらはぎや足裏をマッサージするマッサージ装置に関する。
【０００２】
【従来の技術】
マッサージ装置として、従来、実開昭５４−１４０５９２号公報に開示されるものが有り、これを図１０、図１１に示す。この図１０は従来のマッサージ装置の概略構成説明図、図１１は要部側面図を示す。
【０００３】
図１０において従来のマッサージ装置１００は、椅子式マッサージ機１０３の座部１０３ａの先端にギヤとピンの係合・離脱を介して略垂直位置から略水平位置まで段階的に起伏可能に取付けられる一対の金具１０２と、当該金具１０２の先端に下端が回動可能に軸支される脚部マッサージ主体１０１と、当該脚部マッサージ主体１０１の前記金具１０２と接触する裏面側に複数個配設されるマグネット１０１ｂと、前記脚部マッサージ主体１０１の表裏両面に配設され、脚部マッサージ主体１０１内に組込まれているバイブレーションマッサージ装置１０５によって振動する振動子１０１ａと、脚部マッサージ主体１０１前面の上方部両側端に突設され、金具１０２に対してピンを支点として脚部マッサージ主体１０１を前方に倒した時支持脚となる弾性脚体１０１ｃとを備える構成である。（図１１も参照）
【０００４】
次に、前記構成に基づく従来のマッサージ装置１００のマッサージ動作を説明する。人が椅子式マッサージ機１０３に座り、ふくらはぎをマッサージする場合には、脚部マッサージ主体１０１が金具１０２にマグネット１０１ｂを重ね合せて吸着させた状態で、金具１０２を脚部マッサージ主体１０１ごと略垂直位置から適宜起して脚部マッサージ主体１０１の表面側の振動子１０１ｄがふくらはぎに当るようにしてから（図１０中仮想線の位置）、バイブレーションマッサージ装置１０５を作動させ、ふくらはぎにマッサージ効果を与える。一方、足裏をマッサージする場合には、マグネット１０１ｂの吸着力を解除して金具１０２から脚部マッサージ主体１０１を離反させて前方に倒し、弾性脚体１０１Ｃが床面に付いて支持した状態とする。脚部マッサージ主体１０１裏面側に足を載せ、バイブレーションマッサージ装置１０５を作動させると、前記ふくらはぎ用の振動子１０１ｄと反対側に位置する振動子１０１ａにより足裏にマッサージ効果が与えられる。この従来のマッサージ装置１００は、使用しない時は脚部マッサージ主体１０１を折畳んで座部１０３ａの下に収納でき、邪魔にならない。
【０００５】
【発明が解決しようとする課題】
しかしながらこの様な従来例においてはマッサージ主体１０１はピン１９を中心とした回動に関し何ら規制手段を設けていないため、もしこの従来例でマッサージ主体１０１を起こした状態で金具１０２から脚部マッサージ主体１０１を離反させた場合、脚部マッサージ主体は下側に向けて垂れ下がりふくらはぎ用の振動子を良好に使用することは出来ないばかりかこのまま収納状態へ移動させると垂れ下がった脚部マッサージ主体が床面に深い角度で当接しマッサージ主体を傷める虞がある。
したがって、脚部マッサージ主体１０１を収納するときは必ず折畳むように留意する必要があり使い勝手が悪かった。
【０００６】
特にマッサージ主体を駆動装置等により自動的に突出、収納自在とした場合、誤操作などで使用者の意に反して収納されることがあるのでこの従来例のような構造においては駆動装置を採用出来にくいものである。
【０００７】
本発明は前記課題を解決するためになされたものであって、簡単な回動操作でマッサージ面を切り換え可能とし、マッサージ部の座部からの距離を異ならせて複数種の被施療部をマッサージすることをが出来、しかもマッサージ部を拡開した状態でマッサージ部を収納方向へ自動的に移動させても破損の虞の無いマッサージ装置を提供することを目的とする。
【０００８】
【課題を解決するための手段】
本発明に係るマッサージ装置は、マッサージを受ける人が着座する座部の前側において座面と略垂直方向に垂下した状態と座面と略平行に位置した状態との間を移動自在となる支持部材に、マッサージ機能部を内蔵したマッサージ部を上記座部側と反対側において回動支持となるように取り付けたマッサージ装置において、上記回動支持手段は、支持部材とマッサージ部が重ね合わされマッサージ部の表面が被施療部と当接可能な状態からマッサージ部の裏面が被施療部と当接可能となる規制位置までを９０度以上の回動範囲とするとともに、上記支持部材のマッサージ部との重ね合わせ面側を足首を下と横から包むように支える形状とし、支持部材が座面と略平行に位置した時に規制位置においてマッサージ部は裏面が上方へ向くように垂直方向より座部から離れる方向へ傾いていることを特徴とする。
【０００９】
したがって、本発明においては、マッサージ部は座部に近い位置に配置される第１施療状態と座部からより離れた位置に配置される第２施療状態とを簡単に切り替えることが出来るので、椅子に座り脚を上げた状態で腰に近い位置の施療と腰から離れた位置の施療を行なうことが出来る。また、本発明に係るマッサージ装置は、マッサージ部の裏面が被施療部と当接可能な状態時に垂直方向より座部から離れる方向へ傾いているため、マッサージ部の自重で規制位置での拡開を安定して維持出来、余分なロック手段等を用いる必要がない。
【００１０】
また、本発明に係るマッサージ装置は、上記規制位置はマッサージ部が少なくとも支持部材の仮想延長面より前下がりとならない位置で設定され、この規制位置においてマッサージ部は支持部材側へ重ね合わせる方向へは自由に回動可能となるようにしたことも特徴とする。
このように構成することで、マッサージ部を拡開した状態でマッサージ部を収納方向へ移動させても床面にマッサージ部が当接しにくく、仮に当接した場合でも当接力がスムーズにマッサージ部を支持部材側へ重ね合わせる方向へ作用ししかもこの方向への移動は自由になるように構成しているので破損の虞を可及的に防止出来る。
【００１１】
さらには、本発明のマッサージ部はマッサージ部のマッサージ機能部はいずれの面にもマッサージ作用を行なわせることと、回動支持手段は円弧状のストッパ溝とこのストッパ溝に挿通しかつストッパ溝に沿って動くストッパからなること、および支持部材の移動はマッサージ部の回動位置座面の下部に位置する駆動装置により自動的に行なわれることにも特徴を有している。
【００１２】
【発明の実施の形態】
（提案例の第１の実施の形態）
以下、提案例の第１の実施の形態に係るマッサージ装置を図１〜図３に基づいて説明する。この図１は本実施の形態に係るマッサージ装置のマッサージ部収納状態説明図、図２は本実施の形態に係るマッサージ装置の第１の施療状態説明図、図３は本実施の形態に係るマッサージ装置の第２の施療状態説明図を示す。
【００１３】
前記各図に示すように本実施の形態に係るマッサージ装置１は、椅子５０の座部５１下から座面５１ａ前方まで伸縮するリンク部１３により、支持部材１２が収納位置と突出位置間を移動自在となっている。支持部材１２の先端、すなわち座部５１の反対側には円弧形のストッパ溝１２ａと、側面端部に突設し、前記支持部材１２のストッパ溝１２ａに挿通しかつストッパ溝１２ａに沿って動くストッパ１１ｅにより支持部材１２の先端部においてマッサージ部１１が回動自在に軸着される。
【００１４】
開閉のためにマッサージ部１１を支持部材１２に対し傾動させると、ストッパ手段としてのストッパ１１ｅによりマッサージ部１１がストッパ溝１２ａに規制されて所定の角度に安定支持される仕組みである。
この開閉につき、更に詳細に説明するとこのストッパ溝１２ａは９０度以上に亘って連続的に形成されており、ストッパ１１ｅがストッパ溝１２ａ内を移動自在となることでマッサージ部１１と支持部材１２が折畳まれた状態と９０度以上開いた状態とを簡単に切り替えられる。図３からも判るように９０度以上開いた状態ではマッサージ部１１は垂直方向より座部５１から離れる方向へ傾いている。したがって被施療部の当接力が無くとも重力の作用により安定的に拡開を維持可能であるが、マッサージ部１１が支持部材１２側へ閉じる方向へは何ら移動規制されていないので逆方向からの当接力に対しては抗せずスムーズに回動する。
【００１５】
リンク部１３は、椅子５０の座部５１下に配設され、駆動装置１３ｆにより回動するリンク１３ａと、当該リンク１３ａの回動中心より上方かつ座面５１前寄りの位置に一端が回動自在に軸支されるリンク１３ｂと、一端がリンク１３ａの先端に回動自在に軸着され、かつ中間部が前記リンク１３ｂの中間部に回動自在にピン結合されるリンク１３ｃと、リンク１３ｂ及びリンク１３ｃに対し互いに相対する位置に回動自在にピン結合されて平行クランク機構を構成するリンク１３ｄ及びリンク１３ｅとを備える構成で、支持部材１２はリンク１３ｂと平行なリンク１３ｄ上に配設される。
【００１６】
マッサージ部１１は、支持部材１２に軸着される中空の防振枠体１１ａと、当該防振枠体１１ａの表側に防振ゴムを介して振動を伝えないように配設され、ふくらはぎが直接接する蓋体１１ｂと、当該蓋体１１ｂと連結し、前記防振枠体１１ａの裏側に防振ゴムを介して振動を伝えないように配設され、足裏が直接接する底体１１ｃと、前記蓋体１１ｂ及び底体１１ｃに挟まれて防振枠体１１ａ中空部分に配設され、蓋体１１ｂ及び底体１１ｃと連結して振動を伝える電動式のマッサージ機能部としての振動装置１１ｄとを備える構成である。この振動装置１１ｄを作動させると、一体化した蓋体１１ｂと底体１１ｃが防振枠体１１ａに対して振動し、蓋体１１ｂ及び底体１１ｃの各表面をマッサージに供することができる仕組みである。
【００１７】
次に、前記構成に基づく本実施の形態のマッサージ動作について説明する。椅子５０の座部５１下にリンク部１３を介して支持されるマッサージ部１１に対し、駆動装置１３ｆを作動させてリンク１３ａを上方に回転させ、リンク部１３を前方に伸ばしてマッサージ部１１を前方に押出す。マッサージ部１１を椅子５０の座面５１ａと略等しい高さ位置まで動かし、振動装置１１ｄを作動させると、ふくらはぎと接する蓋体１１ｂが振動し、ふくらはぎへのマッサージ効果が得られる。（第１の施療状態）
【００１８】
一方、マッサージ部１１を支持部材１２に対して拡開すると、図３に示すようにマッサージ部１１は垂直より座部と反対側へ傾いた状態で安定して支持される。この状態は被施療部がマッサージ部１１の裏面に当接してもこれ以上拡開しないように規制されているため、被施療部をマッサージ部１１の裏面に当接して振動装置１１ｄを作動させると、マッサージ効果が得られる。マッサージ部１１は座部５１からより離れた位置に配置されることになるのでこの場合足裏などの脚部の先端側をマッサージするのに適している。（第２の施療状態）
この様にマッサージ部１１は支持部材１２が駆動装置により座面と略等しい高さまで移動させた状態を維持したまま、すなわち、脚を上方に上げた状態で脚部の腰に近い部位（ふくらはぎ等）を施療する第１施療状態と、腰から離れた部位（足首、足裏など）を施療する第２施療状態を単にマッサージ部１１を回動するだけで簡単に行なえることになる。
また支持部材ば座面と略等しい高さでマッサージ部１１を拡開した状態で誤って支持部材を収納する方向へ回動操作した場合、図３の実施例では拡開量が９０度以上あるため収納動作中にマッサージ部１１の先端が床面や他の障害物に当接する虞があるもののストッパー溝内をストッパーが移動自在であり、マッサージ部１１は折畳む方向へはすみやかに回動し、破損等の虞はない。
【００１９】
本実施の形態に係るマッサージ装置では、使用しない時はリンク部１３を縮めてマッサージ部１１を座面５１ａ下に完全に収納でき、場所を取らない。そして特に、第２の施療状態で足裏のマッサージを行なう場合、リラックスした状態のままマッサージ出来るだけでなく、背中を椅子５０に押付けると共にマッサージ部１１へ自然に脚を踏ん張る姿勢となるため、足裏を強く押付けてマッサージ効果を高めることができる。また、構造が簡単で、マッサージ部１１を両面使用でき、体への使用部位に合せて表面性状を変えてマッサージ効果を高めることが容易である。
【００２０】
（提案例の第２の実施の形態）
以下、提案例の第２の実施の形態に係るマッサージ装置を図４〜図６に基づいて説明する。この図４は本実施の形態に係るマッサージ装置のマッサージ部収納状態説明図、図５は本実施の形態に係るマッサージ装置の第１の施療状態説明図、図６は本実施の形態に係るマッサージ装置の第２の施療状態説明図を示す。
【００２１】
前記各図に示すように、本実施の形態に係るマッサージ装置２は、椅子５０の座部５１先端両側に対向立設され、ピン溝２３ｂが穿孔され、当該ピン溝２３ｂにスプリング２３ｃにより付勢される可動なピン２３ａを配設した一対のベース２３と、一端部に切欠部２２ａが形成され、他端部に円弧形ストッパ溝２２ｂが穿孔され、前記一端部を前記ベース２３に回動自在かつ略水平位置で切欠部２２ａ及び前記ピン２３ａが係合して位置を保持されるように軸支される支持部材としての一対のアーム２２と、ストッパ２１ｅを側面端部に突設し、このストッパ２１ｅを前記アーム２２のストッパ溝２２ｂに挿通しかつストッパ２１ｅがストッパ溝２２ｂに沿って動くようにアーム２２の他端部に回動自在に軸着されるマッサージ部２１とを備える構成である。このマッサージ部２１は前記第１の実施の形態と同様の構成である。
【００２２】
次に、前記構成に基づく本実施の形態のマッサージ動作について説明する。まず、折畳んで座部５１下に収納したアーム２２及びマッサージ部２１を座部５１先端のベース２３の軸支点を中心に上方に起す。マッサージ部２１を椅子の座面５１ａと略等しい高さでその上面が前下がりに傾いた状態となる位置まで動かしたら、アーム２２の切欠部２２ａとベース２３のピン２３ａとを係合させてアーム２２及びマッサージ部２１を動かないように固定する。この状態で人が椅子５０に座り、マッサージ部２１の上面をなす蓋体２１ｂに脚のふくらはぎを載せ、マッサージ機能部としての振動装置２１ｄを作動させると、ふくらはぎと接する蓋体２１ｂが振動し、ふくらはぎへのマッサージ効果が得られる。（第１の施療状態）
【００２３】
一方、足裏等の、より座面から遠くの被施療部のマッサージを行う場合には、前記の状態から切欠部２２ａとピン２３ａとの係合を保持したまま、マッサージ部２１をアーム２２に対して前方に起し、所定角度に起立した状態にして、椅子５０の座面５１ａより高い位置でマッサージ部２１がその裏面を椅子５０に座った人に対向させた状態とする。よってマッサージ部２１は上記第１の施療状態時により座面から離れた位置で裏面が使用可能に露呈することになる。この実施例のようにマッサージ部２１の人に対向する裏面をなす底体２１ｃに足裏を載せた場合、振動装置２１ｄを作動させると、足裏と接する底体２１ｃが振動し、足裏へのマッサージ効果が得られる。このように第２の施療状態で足裏のマッサージを行なうと、垂直成分を有して、人は背中を椅子５０に押付けると共に脚を踏ん張ってマッサージ部２１に強く足裏を押付ける姿勢になり、マッサージ部２１から足裏に高いマッサージ効果を与えることができる。（第２の施療状態）
【００２４】
本実施の形態に係るマッサージ装置では、使用しない時はマッサージ部２１とアーム２２を折畳んで座部５１下に収納でき、場所を取らない。また、マッサージ部２１を両面使用でき、体への使用部位に合せて表面性状を変えてマッサージ効果を高めることが容易である。そして、表裏両面を足裏マッサージとふくらはぎマッサージとに個別に使えるため、不潔感を除去できる。さらに、構造が簡単で、製造コストを下げて安価にできる。
【００２５】
（本発明の実施の形態）
以下、本発明の実施の形態に係るマッサージ装置を図７〜図９に基づいて説明する。この図７は本実施の形態に係るマッサージ装置の第１の施療状態説明図、図８は本実施の形態に係るマッサージ装置の第２の施療状態説明図、図９は本実施の形態に係るマッサージ装置のエアーマッサージ部の概略構成図を示す。
【００２６】
前記各図に示すように、本実施の形態に係るマッサージ装置３は、前記第２の実施の形態のマッサージ部２１を支持するアーム２２の代りに、足裏をマッサージする際に足首を支え、かつ足首からふくらはぎ下部にかけてマッサージを行うエアーマッサージ部３２を備える構成である。エアーマッサージ部３２のベース３３への取付け構造は前記第２の実施の形態の場合と同様である。また、マッサージ部３１は、前記第１及び第２の実施の形態の場合のように、エアーマッサージ部３２に軸着される中空の防振枠体１１ａの表裏両面に蓋体３１ｂと底体３１ｃを配設し、電動式の振動装置３１ｄを備えた構成であるが、前記第１及び第２の実施の形態の場合に比べて薄形に構成したものである。
【００２７】
エアーマッサージ部３２は、足裏のマッサージの際に足裏をマッサージ部３１に載せた状態の両足首を下と横から包むように支える形状で、一端部の両側に一対の切欠部３２ａを形成され、前記一端部をベース３３に回動自在かつ略水平位置で切欠部３２ａ及びピン３３ａが係合して位置を保持されるよう軸支されており、他端部に所定角度範囲で回動自在にマッサージ部３１を軸着される構成である。エアーマッサージ部３２は外部より供給された空気で膨張、収縮自在であり、足首を空気圧でマッサージする仕組みである。
【００２８】
次に、前記構成に基づく本実施の形態のマッサージ動作について説明する。まず、折畳んで座部５１下に収納したエアーマッサージ部３２及びマッサージ部３１を座部５１先端のベース３３の軸支点を中心に上方に起す。マッサージ部３１が椅子５０の座面５１ａと略等しい高さでその上面が前下がりに傾いた状態となる位置まで動かしたら、エアーマッサージ部３２の切欠部３２ａとベース３３のピン３３ａとを係合させてエアーマッサージ部３２及びマッサージ部３１を動かないように固定する。
【００２９】
この状態で人が椅子５０に座り、マッサージ部３１の上面をなす蓋体３１ｂに脚のふくらはぎを載せ、振動装置３１ｄを作動させると、ふくらはぎと接する蓋体３１ｂが振動し、ふくらはぎへのマッサージ効果が得られる。一方、足裏のマッサージを行う場合には、前記の状態から切欠部３２ａとピン３３ａとの係合を保持したまま、ストッパ手段３４により拡開量が規制されるまでマッサージ部３１をエアーマッサージ部３２に対して前方に起し、所定角度に起立した状態にして、椅子５０の座面５１ａより高い位置でマッサージ部３１がその裏面を椅子５０に座った人に対向させた状態とする。マッサージ部３１の人に対向する裏面をなす底体３１ｃに足裏を載せると共に、エアーマッサージ部３２に足首を保持させ、振動装置３１ｄを作動させると、足裏と接する底体３１ｃが振動し、足裏へのマッサージ効果が得られる。
【００３０】
足裏のマッサージにおいては、マッサージ部３１が座面５１ａより上にあり、かつ起立していることで、人は背中を椅子５０に押付けると共に脚を踏ん張ってマッサージ部３１に強く足裏を押付ける姿勢になる上、エアーマッサージ部３２で足首を支えられて足裏の位置が変りにくいため、マッサージ部３１から足裏に高いマッサージ効果を与えることができる。この足裏のマッサージの際に、エアーマッサージ部３２においては、空気圧により足首からふくらはぎ下部にかけてもマッサージを行うことができ、足裏へのマッサージと合せてマッサージ効果を大きくできる。
【００３１】
本実施の形態に係るマッサージ装置３では、足裏へのマッサージにおいて足首を支えるので姿勢が安定し、常時正しくマッサージ効果を与えられる。また、足首やふくらはぎ下部にもマッサージ効果を与えることができ、マッサージできる範囲が大きく足の血行を良くしてマッサージ効果を向上させられ、効率よくマッサージが行える。
【００３２】
なお、前記実施の形態においては、エアーマッサージ部からの空気圧でマッサージを行う構成としているが、エアーマッサージ部に振動装置を内蔵させ、振動によりマッサージ効果を与えるなど、マッサージの方法としては他の方法を用いても構わない。
【００３３】
【発明の効果】
以上のように本発明においては、マッサージを受ける人が着座する座部の前側において座面と略垂直方向に垂下した状態と座面と略平行に位置した状態との間を移動自在となる支持部材に、マッサージ機能部を内蔵したマッサージ部を上記座部側と反対側において回動支持となるように取り付けたマッサージ装置において、上記回動支持手段は、支持部材とマッサージ部が重ね合わされマッサージ部の表面が被施療部と当接可能な状態からマッサージ部の裏面が被施療部と当接可能となる規制位置までを９０度以上の回動範囲とするとともに、上記支持部材のマッサージ部との重ね合わせ面側を足首を下と横から包むように支える形状とし、支持部材が座面と略平行に位置した時に規制位置においてマッサージ部は裏面が上方へ向くように垂直方向より座部から離れる方向へ傾いているようにしたので、マッサージ部の座面からの距離を水平方向において近い状態（第１の施療状態）と遠い状態（第２の施療状態）を簡単に選択出来、椅子に座って脚を前方へ投げ出した状態で腰からの距離の異なる被施療部を良好にマッサージ出来る。
という作用効果を奏する。
また、請求項２に記載のような構成をとると、支持部材とマッサージ部が拡開した状態で収納方向へ移動させてもマッサージ部の先端が床面等に当接しにくく、仮に当接してもすみやかにマッサージ部が閉じる方向へ回動するため当接力で破損等が生じる虞がない。
さらには、請求項３に記載のような構成の場合、マッサージ機能部を兼用出来るのでコスト的にも重量的にも非常に有利となる。
【図面の簡単な説明】
【図１】  提案例の第１の実施の形態に係るマッサージ装置のマッサージ部収納状態説明図である。
【図２】  提案例の第１の実施の形態に係るマッサージ装置の第１の施療状態説明図である。
【図３】  提案例の第１の実施の形態に係るマッサージ装置の第２の施療状態説明図である。
【図４】  提案例の第２の実施の形態に係るマッサージ装置のマッサージ部収納状態説明図である。
【図５】  提案例の第２の実施の形態に係るマッサージ装置の第１の施療状態説明図である。
【図６】  提案例の第２の実施の形態に係るマッサージ装置の第２の施療状態説明図である。
【図７】  本発明の実施の形態に係るマッサージ装置の第１の施療状態説明図である。
【図８】  本発明の実施の形態に係るマッサージ装置の第２の施療状態説明図である。
【図９】  本発明の実施の形態に係るマッサージ装置のエアーマッサージ部の概略構成図である。
【図１０】従来のマッサージ装置の概略構成斜視図である。
【図１１】従来のマッサージ装置の概略構成側面図である。
【符号の説明】
１，２，３，１００，２００  マッサージ装置
１１，２１，３１        マッサージ部
１１ａ，２１ａ，３１ａ  防振枠体
１１ｂ，２１ｂ，３１ｂ  蓋体
１１ｃ，２１ｃ，３１ｃ  底体
１１ｄ，２１ｄ，３１ｄ  振動装置
１１ｅ，２１ｅ  ストッパ
１２    支持部材
１２ａ，２２ｂ  ストッパ溝
１３    リンク部
１３ａ，１３ｂ，１３ｃ，１３ｄ，１３ｅ  リンク
１３ｆ  駆動装置
２２    アーム
２２ａ，３２ａ  切欠部
２３，３３      ベース
２３ａ，３３ａ  ピン
２３ｂ，３３ｂ  ピン溝
２３ｃ，３３ｃ  スプリング
３２    エアーマッサージ部
５０    椅子
５１    座部
５１ａ  座面
１０１    脚部マッサージ主体
１０１ａ  振動子
１０１ｂ  マグネット
１０１ｃ  弾性脚体
１０２    金具
１０３    椅子式マッサージ機
１０３ａ  座部
２０１    両面マッサージ器
２０２    アーム
２０３    支持台
２０４    椅子式マッサージ機
２０４ａ  座面
２０５    ベルト
【図１】
0003648171.tif 000002
【図２】
0003648171.tif 000003
【図３】
0003648171.tif 000004
【図４】
0003648171.tif 000005
【図５】
0003648171.tif 000006
【図６】
0003648171.tif 000007
【図７】
0003648171.tif 000008
【図８】
0003648171.tif 000009
【図９】
0003648171.tif 000010
【図１０】
0003648171.tif 000011
【図１１】
0003648171.tif 000012